(57)【要約】【課題】  汎用の輪転印刷機を使用して効率的に製造することが可能な、左右方向にきわめて大きく見開くことのできる新聞折込み用チラシ等の用途に好適な印刷物及びその製造方法を提供することにある。【解決手段】  広幅の第１紙片と第１紙片の１／２の幅を有する狭幅の第２紙片を一方の側端を揃えて重ね合わせ、第２紙片の幅方向の中央部にて縦方向に第２紙片と第１紙片を接着するとともに、第１紙片を第１紙片の幅方向の中央部にて幅方向に折り曲げて第１紙片の対向する端縁間を接着して、第２紙片と第１紙片の接着部の中央にて縦方向に第２紙片と第１紙片をカットした構成の印刷物である。【選択図】      図１
2010155463.tif 000002
【特許請求の範囲】
【請求項１】
矩形状の第１紙片と、第１紙片の１／２幅の第２紙片、第３紙片、第４紙片及び第５紙片とからなり、第２紙片が第１紙片の一方の側端の接着部にて側端を揃えて接着され、第３紙片が前記接着部と対向する第２紙片の側端の接着部にて側端を揃えて接着され、第４紙片が第１紙片の他方の側端に折目線を介して連接されて第１紙片上に折り返され、第５紙片が折目線と対向する第４紙片の側端の接着部にて側端を揃えて接着された構成からなることを特徴とする印刷物。
【請求項２】
２台の輪転印刷機を使用し、一方の輪転印刷機にて広幅連続用紙に、他方の輪転印刷機にて広幅連続用紙の幅の１／２の幅を有する狭幅連続用紙に、それぞれ同一絵柄ピッチの印刷を行う工程と、印刷された広幅連続用紙と狭幅連続用紙を一方の側端を揃えて重ね合わせて狭幅連続用紙の幅方向の中央部にて流れ方向に狭幅連続用紙を対向する広幅連続用紙に接着する工程と、広幅連続用紙を幅方向の中央部にて流れ方向に２つ折りして対向する端縁間を接着する工程と、狭幅連続用紙が接着され２つ折りされた広幅連続用紙の狭幅連続用紙と広幅連続用紙の接着部の中央部にて流れ方向にカットする工程と、所定位置にて流れに直角方向に裁断して狭幅連続用紙が内側となるように流れ方向の中央部にて折り曲げる工程からなることを特徴とする印刷物の製造方法。
【発明の詳細な説明】
【技術分野】
【０００１】
本発明は、汎用の輪転印刷機を使用して効率的に製造することが可能な、左右方向にきわめて大きく見開くことのできる新聞折込み用チラシ等の用途に好適な印刷物及びその製造方法に関する。
【背景技術】
【０００２】
従来、折り畳んだ状態の大きさがＢ４サイズの大きさを有するチラシ等に利用できる印刷物としては、印刷されたＢ２サイズの大きさの紙片を長手方向に２つ折りし更に長手方向に２つ折りした、４つ折りした構成のものが一般的であるが、Ｂ２サイズの大きさの紙片を直角方向に２回折りした４つ折り構成の印刷物は、余りにもありふれた形態であり顧客に対する訴求効果に乏しく、手に取って見られずに捨てられることが多く、顧客に対する訴求効果のある形態の印刷物が望まれている。上記の欠点を改良した、顧客に対して訴求効果のある左右方向に大きく見開ける形態の印刷物としては、矩形状の印刷紙片を左右方向の中央部にて２つ折りし、折り曲げた印刷紙片の両端縁部間を接着し、２つ折りした印刷紙片の一方の左右方向の中央部にて上下方向に切目線を形成し、切目線が形成された一方の紙片を内側にして上下方向に２つ折りした構成の印刷物及びその製造方法（例えば、特許文献１参照）が知られている。
【先行技術文献】
【特許文献】
【０００３】
【特許文献１】特開２００４−１８２４２８号公報
【０００４】
しかしながら、上記の印刷物では、１枚の紙片の両側にそれぞれ１枚の紙片が連接され観音開き状に左右方向に見開けるものであるが、２段階で広げる楽しみがなく、左右方向に見開ける大きさも限定されるという欠点を有している。
【発明の概要】
【発明が解決しようとする課題】
【０００５】
本発明は、汎用の輪転印刷機を使用して効率的に製造することが可能な、２段階で見開けるとともに左右方向にきわめて大きく見開くことのできる、新聞折込み用チラシ等の用途に好適な印刷物及びその製造方法を提供することにある。
【課題を解決するための手段】
【０００６】
矩形状の第１紙片と、第１紙片の１／２幅の第２紙片、第３紙片、第４紙片及び第５紙片とからなり、第２紙片が第１紙片の一方の側端の接着部にて側端を揃えて接着され、第３紙片が前記接着部と対向する第２紙片の側端の接着部にて側端を揃えて接着され、第４紙片が第１紙片の他方の側端に折目線を介して連接されて第１紙片上に折り返され、第５紙片が折目線と対向する第４紙片の側端の接着部にて側端を揃えて接着された構成からなる印刷物である。
【０００７】
２台の輪転印刷機を使用し、一方の輪転印刷機にて広幅連続用紙に、他方の輪転印刷機にて広幅連続用紙の幅の１／２の幅を有する狭幅連続用紙に、それぞれ同一絵柄ピッチの印刷を行う工程と、印刷された広幅連続用紙と狭幅連続用紙を一方の側端を揃えて重ね合わせて狭幅連続用紙の幅方向の中央部にて流れ方向に狭幅連続用紙を対向する広幅連続用紙に接着する工程と、広幅連続用紙を幅方向の中央部にて流れ方向に２つ折りして対向する端縁間を接着する工程と、狭幅連続用紙が接着され２つ折りされた広幅連続用紙の狭幅連続用紙と広幅連続用紙の接着部の中央部にて流れ方向にカットする工程と、所定位置にて流れに直角方向に裁断して狭幅連続用紙が内側となるように流れ方向の中央部にて折り曲げる工程からなることを特徴とする印刷物の製造方法である。
【発明の効果】
【０００８】
本発明の印刷物の場合、第１紙片の両側端部に紙片がＺ状に折り曲げた状態で連接されているため、左右方向に見開くことにより、２段階で大きく広げることができるので、この印刷物を例えば新聞折り込み用のチラシとして使用した場合、構成が目新しいため顧客の目に留まりやすく且つ印刷物を横方向に２段階で広げて見る楽しみがあるので、折り込まれる数多くのチラシの中で自社のチラシを目立たせることにより顧客への訴求力が向上しきわめて訴求効果の大きいチラシとすることができる。
【０００９】
本発明の製造方法を採用することにより、本発明の印刷物を、２台の汎用の輪転印刷機を使用して、広幅連続用紙と狭幅連続用紙にそれぞれ同一絵柄ピッチの印刷を行い、印刷工程とインラインでの接着、折曲げ、切目形成等の加工により製造できるので、高速で効率的に且つ低価格で生産することが可能になる。
【図面の簡単な説明】
【００１０】
【図１】本発明の印刷物を縦方向に開いた状態の斜視図。
【図２】図１に示す本発明の印刷物を左右方向に広げた状態の斜視図。
【図３】本発明の印刷物の製造工程を示す印刷された広幅連続用紙と狭幅連続用紙を一方の側端を揃えて重ね合わせて接着部にて接着した平面図。
【図４】図３におけるＩ−Ｉ線断面図。
【図５】図４に示す状態から広幅連続用紙を流れ方向の折目線にて２つ折りして端縁間を接着した状態の断面図。
【図６】図５に示す状態から狭幅連続用紙と広幅連続用紙の接着部の中央部にて流れ方向に切目線を形成した状態の断面図。
【図７】図６に示す状態から流れに直角方向の所定位置にて断裁した状態の平面図。
【発明を実施するための形態】
【００１１】
以下、図面を引用して本発明の実施の形態を説明する。
図１は本発明の印刷物を縦方向に開いた状態の斜視図、図２は図１に示す本発明の印刷物を左右方向に広げた状態の斜視図、図３は本発明の印刷物の製造工程を示す印刷された広幅連続用紙と狭幅連続用紙を一方の側端を揃えて重ね合わせて接着部にて接着した平面図、図４は図３におけるＩ−Ｉ線断面図、図５は図４に示す状態から広幅連続用紙を流れ方向の折目線にて２つ折りして端縁間を接着した状態の断面図、図６は図５に示す状態から狭幅連続用紙と広幅連続用紙の接着部の中央部にて流れ方向に切目線を形成した状態の断面図、図７は図６に示す状態から流れに直角方向の所定位置にて断裁した状態の平面図であって、１１は第１紙片、１２は第２紙片、１３は第３紙片、１４は第４紙片、１５は第５紙片、２，３，３ａ，３ｂは接着部、４は切目線、５，６は折曲線、７は断裁線をそれぞれ表す。
【００１２】
本発明の印刷物の実施形態の縦方向に広げた状態の斜視図は、図１に示すとおりであって、第１紙片１１の一方の側端に端縁を揃えて第１紙片１１の幅の１／２の幅を有する第２紙片１２と第３紙片１３を重ね合わせて第１紙片１１と第２紙片１２を一方の側端の接着部２にて接着するとともに第２紙片１２と第３紙片１３を接着部２と対向する側端の接着部３ａにて接着し、第１紙片１１の他方の側端に端縁を揃えて第１紙片１１の幅の１／２の幅を有する第４紙片１４と第５紙片１５を重ね合わせて第１紙片１１と第４紙片１４を他方の側端にて折目線５を介して連接するとともに第４紙片１４と第５紙片１５を折目線５と対向する側端の接着部３ｂにて接着した構成である。実施形態の印刷物は折目線６にて第３紙片１３と第５紙片１５が内側にくるように２つ折りされた状態で使用される。印刷物のサイズは任意であるが、新聞折り込みチラシとする場合は、縦方向に開いた状態ではＢ３サイズであり、折目線６にて２つ折りされた状態ではＢ４サイズとするのが普通である。
【００１３】
本発明の実施形態の印刷物の横方向にパノラマ状に開いた状態は、図２に示すとおりであって、第１紙片１１の一方の側端に第２紙片１２が接着部２にて連接されるとともに第２紙片１２の側端に接着部３ａにて第３紙片１３が連接され、第１紙片１１の他方の側端に折目線５を介して第４紙片１４が連接されるとともに第４紙片１４の側端に接着部３ｂにて第５紙片１５が連接された状態となる。新聞折り込みチラシとする場合のように、縦方向に開いた状態でＢ３サイズとした場合は、図２に示すように左右方向に完全に見開いた状態では、Ｂ３サイズの紙片が左右方向に３枚連接された大きさとなる。本発明の印刷物では、横方向にパノラマ状に大きく開いて印刷された内容を見ることができるので、きわめて大きい広告対象物を表示することが可能となり、見やすい上に顧客に対する訴求効果がきわめて大きく且つ迫力のあるチラシ等とすることができるものである。
【００１４】
本発明の実施形態の印刷物を新聞折り込みチラシの用途に使用される場合は、図１に示す状態から折目線５にて切目線４を内側にして２つ折りして新聞の間に挟んで使用されるものである。新聞折り込みチラシの場合、通常は新聞紙面の半分以下の寸法に折り畳んだ状態で新聞に折り込まれるため、本発明の印刷物を縦方向に折り畳んだ状態でＢ４サイズとされている。この印刷物を縦方向に開いてＢ３の大きさとした後に、左右方向に完全に開くことにより、きわめて大きいＢ３の３倍の大きさのチラシとすることができる。
【００１５】
本発明の実施形態の印刷物の製造工程の概略は図３〜図７に示すとおりである。２台のオフセツト輪転印刷機を使用して、一方の輪転印刷機にて広幅連続用紙Ａに、他方の輪転印刷機にて広幅連続用紙Ａの１／２の幅を有する狭幅連続用紙Ｂに、それぞれ同一絵柄ピッチの印刷を行った後に、図３、図４に示すように、印刷された広幅連続用紙Ａと狭幅連続用紙Ｂを一方の側端を揃えて重ね合わせて広幅連続用紙Ａと狭幅連続用紙Ｂを狭幅連続用紙Ｂの幅方向の中央部にて流れ方向の接着部３で接着するとともに、広幅連続用紙Ａを幅方向の中央部の折目線５にて流れ方向に狭幅連続用紙Ｂが外側となるように２つ折りして広幅連続用紙Ａの対向する端縁間を接着部２にて接着して、図５に示す状態とする。次いで、狭幅連続用紙Ｂが接着され２つ折りされた広幅連続用紙Ａの狭幅連続用紙Ｂと広幅連続用紙Ａの接着部３の中央部に切目線４を形成して狭幅連続用紙Ｂと広幅連続用紙Ａを流れ方向にカットして、図６に断面を示す状態とし、最後に、連続用紙を断裁線７にて流れに直角方向に断裁し、折目線６にて狭幅連続用紙Ｂが内側にくるように流れに直角方向に折り曲げることにより実施形態の印刷物を製造することができる。
【００１６】
本発明の印刷物を、２台のオフセツト輪転印刷機を使用して、一方のオフセツト輪転印刷機にてＢ２幅の広幅連続用紙Ａに、他方の輪転印刷機にてＢ３幅の狭幅連続用紙Ｂに、それぞれ同一絵柄ピッチの印刷を行って、本件発明の印刷物とすることにより、印刷物を左右方向に完全に見開いた状態でＢ２＋Ｂ３幅のきわめて広い幅をもった印刷物とすることができるものである。折り畳んだ状態では、Ｂ４サイズとなるので、新聞折り込みチラシ等として使用した場合、きわめて宣伝効果の優れた印刷物となるものである。
【００１７】
本発明の印刷物を１枚のきわめて広い幅を有する紙片を折り畳んで作製しようとする場合は、Ｂ２＋Ｂ３の幅の用紙を使用して印刷及び加工することが必要であり、汎用の印刷機及び折り機では加工ができず、特別仕様のきわめて広い幅を有する用紙を使用して印刷及び加工することのできる機械が必要となるので、一般的には、製造するのが困難であるが、本発明の方法によると、従来から一般的に使用されている汎用の輪転印刷機により、高速で効率的に製造することができるものである。
【符号の説明】
【００１８】
１１                    第１紙片
１２                    第２紙片
１３                    第３紙片
１４                    第４紙片
１５                    第５紙片
２，３，３ａ，３ｂ      接着部
４                      切目線
５，６                  折目線
７                      断裁線
【図１】
2010155463.tif 000003
【図２】
2010155463.tif 000004
【図３】
2010155463.tif 000005
【図４】
2010155463.tif 000006
【図５】
2010155463.tif 000007
【図６】
2010155463.tif 000008
【図７】
2010155463.tif 000009
【手続補正書】
【提出日】平成22年4月1日(2010.4.1)
【手続補正２】
【補正対象書類名】特許請求の範囲
【補正対象項目名】全文
【補正方法】変更
【補正の内容】
【特許請求の範囲】
【請求項１】
矩形状の第１紙片と、第１紙片と天地方向の長さが同一で左右方向の長さが１／２の第２紙片、第３紙片、第４紙片及び第５紙片とからなり、第１紙片の左半分の領域に第２紙片が重ね合わせられており、更に第２紙片の全面の領域に第３紙片が重ね合わせられており、第１紙片の左側端と第２紙片の左側端が揃えられ、第１紙片の左側端と第２紙片の左側端の対向する面同士が第１の接着部にて接着されており、第２紙片の右側端と第３紙片の右側端が揃えられ、第２紙片の右側端と第３紙片の右側端の対向する面同士が第２の接着部にて接着されており、第１紙片の右半分の領域に第４紙片が重ね合せられており、更に第４紙片の全面の領域に第５紙片が重ね合せられており、第１紙片の右側端と第４紙片の右側端が折目線を介して連接されており、第４紙片の左側端と第５紙片の左側端が揃えられ、第４紙片の左側端と第５紙片の左側端の対向する面同士が第３の接着部にて接着されており、前記第２の接着部が前記第２紙片と前記第３紙片の右側の端縁にまで達しており、前記第３の接着部が前記第４紙片と前記第５紙片の左側の端縁にまで達している構成からなることを特徴とする印刷物。
【請求項２】
矩形状の第１紙片と、第１紙片と天地方向の長さが同一で左右方向の長さが１／２の第２紙片、第３紙片、第４紙片及び第５紙片とからなり、第１紙片の左半分の領域に第２紙片が重ね合わせられており、更に第２紙片の全面の領域に第３紙片が重ね合わせられており、第１紙片の左側端と第２紙片の左側端が揃えられ、第１紙片の左側端と第２紙片の左側端の対向する面同士が第１の接着部にて接着されており、第２紙片の右側端と第３紙片の右側端が揃えられ、第２紙片の右側端と第３紙片の右側端の対向する面同士が第２の接着部にて接着されており、第１紙片の右半分の領域に第４紙片が重ね合せられており、更に第４紙片の全面の領域に第５紙片が重ね合せられており、第１紙片の右側端と第４紙片の右側端が折目線を介して連接されており、第４紙片の左側端と第５紙片の左側端が揃えられ、第４紙片の左側端と第５紙片の左側端の対向する面同士が第３の接着部にて接着されており、前記第２の接着部が前記第２紙片と前記第３紙片の右側の端縁にまで達しており、前記第３の接着部が前記第４紙片と前記第５紙片の左側の端縁にまで達している構成からなる印刷物であって、前記印刷物全体を天地方向の長さの１／２の位置で左右方向に沿った折目線にて第３紙片と第５紙片が内側にくるように２つ折りしてなることを特徴とする印刷物。
【手続補正３】
【補正対象書類名】明細書
【補正対象項目名】０００４
【補正方法】変更
【補正の内容】
【０００４】
本発明は、汎用の輪転印刷機を使用して効率的に製造することが可能な、２段階で見開けるとともに左右方向にきわめて大きく見開くことのできる、新聞折込み用チラシ等の用途に好適な印刷物を提供することにある。
【手続補正４】
【補正対象書類名】明細書
【補正対象項目名】０００５
【補正方法】変更
【補正の内容】
【０００５】
本発明の印刷物は、矩形状の第１紙片と、第１紙片と天地方向の長さが同一で左右方向の長さが１／２の第２紙片、第３紙片、第４紙片及び第５紙片とからなり、第１紙片の左半分の領域に第２紙片が重ね合わせられており、更に第２紙片の全面の領域に第３紙片が重ね合わせられており、第１紙片の左側端と第２紙片の左側端が揃えられ、第１紙片の左側端と第２紙片の左側端の対向する面同士が第１の接着部にて接着されており、第２紙片の右側端と第３紙片の右側端が揃えられ、第２紙片の右側端と第３紙片の右側端の対向する面同士が第２の接着部にて接着されており、第１紙片の右半分の領域に第４紙片が重ね合せられており、更に第４紙片の全面の領域に第５紙片が重ね合せられており、第１紙片の右側端と第４紙片の右側端が折目線を介して連接されており、第４紙片の左側端と第５紙片の左側端が揃えられ、第４紙片の左側端と第５紙片の左側端の対向する面同士が第３の接着部にて接着されており、前記第２の接着部が前記第２紙片と前記第３紙片の右側の端縁にまで達しており、前記第３の接着部が前記第４紙片と前記第５紙片の左側の端縁にまで達している構成からなる。
【手続補正５】
【補正対象書類名】明細書
【補正対象項目名】０００６
【補正方法】変更
【補正の内容】
【０００６】
本発明の印刷物は、矩形状の第１紙片と、第１紙片と天地方向の長さが同一で左右方向の長さが１／２の第２紙片、第３紙片、第４紙片及び第５紙片とからなり、第１紙片の左半分の領域に第２紙片が重ね合わせられており、更に第２紙片の全面の領域に第３紙片が重ね合わせられており、第１紙片の左側端と第２紙片の左側端が揃えられ、第１紙片の左側端と第２紙片の左側端の対向する面同士が第１の接着部にて接着されており、第２紙片の右側端と第３紙片の右側端が揃えられ、第２紙片の右側端と第３紙片の右側端の対向する面同士が第２の接着部にて接着されており、第１紙片の右半分の領域に第４紙片が重ね合せられており、更に第４紙片の全面の領域に第５紙片が重ね合せられており、第１紙片の右側端と第４紙片の右側端が折目線を介して連接されており、第４紙片の左側端と第５紙片の左側端が揃えられ、第４紙片の左側端と第５紙片の左側端の対向する面同士が第３の接着部にて接着されており、前記第２の接着部が前記第２紙片と前記第３紙片の右側の端縁にまで達しており、前記第３の接着部が前記第４紙片と前記第５紙片の左側の端縁にまで達している構成からなる印刷物であって、前記印刷物全体を天地方向の長さの１／２の位置で左右方向に沿った折目線にて第３紙片と第５紙片が内側にくるように２つ折りしてなるものである。
【手続補正６】
【補正対象書類名】明細書
【補正対象項目名】０００８
【補正方法】削除
【補正の内容】